(57)【要約】【課題】機器の移動などによってカードが意図せず抜けてしまった場合や、挿入時に挿入不良が起きた場合と、視聴者が意図的にカードを使用しない状態と区別し、カードの挿入不良や脱落に対して視聴者に適切に状態を提示し警告することを目的とする。【解決手段】カードと通信を行いカードが電気的に正しく挿入されたことを検出するカード認識手段と、カードがカード装着部内に存在するかどうかを検出するカード検出手段と、上記カードの認識および検出状態に応じて、前記カード認識手段とカード検出手段からの信号において、カード挿入状態を判断する判断制御手段と前記判断手段での結果をもとに視聴者へ表示を行う表示制御部とを備える。【選択図】図９
2006221298.tif 000002
【特許請求の範囲】
【請求項１】
少なくとも個人情報を含むデータを保持するカード機器を挿入可能なカードリーダであって、
前記カード機器がカードリーダに挿入されたことを検出するカード検出手段と、
前記カードリーダ内に挿入された前記カード機器からデータを取得可能であるか否かを認識するカード認識手段とを備え、
前記カード検出手段によりカード機器がカードリーダに挿入されたことが検出され、且つ、前記カード認識手段によりカード機器からデータを取得できない場合には、前記カード機器が正常にカードリーダ内に格納されていないことを出力することを特徴とするカードリーダ。
【請求項２】
少なくとも個人情報を含むデータを保持するカード機器を挿入可能なカードリーダであって、
前記カード機器がカードリーダに挿入されたことを検出するカード検出手段と、
前記カードリーダ内に挿入された前記カード機器からデータを取得可能であるか否かを認識するカード認識手段と
前記カードリーダに格納された前記カード機器を前記カード認識手段に挿入する挿入手段を備えており、
前記カード検出手段によりカード機器がカードリーダに挿入されたことが検出され、且つ、前記カード認識手段によりカード機器からデータを取得できない場合には、前記挿入手段により前記カード機器を前記カード認識手段に挿入することを特徴とするカードリーダ。
【請求項３】
少なくとも個人情報を含むデータを保持するカード機器を挿入可能なカードリーダであって、
前記カード機器がカードリーダに挿入されたことを検出するカード検出手段と、
前記カードリーダ内に挿入された前記カード機器からデータを取得可能であるか否かを認識するカード認識手段と
前記カードリーダに格納された前記カード機器を前記カード認識手段に挿入する挿入手段と、
前記カード機器から取得したデータを格納する格納手段とを備えており、
前記カード検出手段によりカード機器がカードリーダに挿入されたことが検出され、且つ、前記カード認識手段によりカード機器からデータを取得できない場合には、前記格納手段に格納されたデータを読み出すことを特徴とするカードリーダ。
【請求項４】
少なくとも個人情報を含むデータを保持するカード機器を挿入可能なカードリーダであって、
前記カード機器がカードリーダに挿入されたことを検出するカード検出手段と、
前記カードリーダ内に挿入された前記カード機器からデータを取得可能であるか否かを認識するカード認識手段とを備え、
前記カード検出手段によりカード機器がカードリーダに挿入されていないことが検出され、且つ、前記カード認識手段によりカード機器からデータを取得できない場合には、前記カード機器が前記カードリーダに挿入されていないことを出力することを特徴とするカードリーダ。
【請求項５】
セキュリティ情報や個人データなどのデータを保持できるカード機器と前記カード機器を挿入することで接触または非接触にて通信を行うことができるインターフェース回路を持つ構成において、カードと通信を行いカードが電気的に正しく挿入されたことを検出するカード認識手段と、カードがカード装着部内に存在するかどうかを検出するカード検出手段と、上記カードの認識および検出状態に応じて、前記カード認識手段とカード検出手段からの信号において、カード挿入状態を判断する判断制御手段と前記判断制御手段での結果をもとに視聴者へ表示を行う表示制御部とを具備することを特徴とするカードリーダ。
【請求項６】
前記表示制御手段から信号を表示するためにＣＲＴまたはＬＣＤまたはＰＤＰなどのディスプレイ装置を備えた請求項５に記載のカードリーダ。
【発明の詳細な説明】
【技術分野】
【０００１】
本発明は、カード機器の挿入状態を判別するためのカードリーダに関するものである。
【背景技術】
【０００２】
一般にメモリーカードやＰＣカードといった、電気機器に挿入して使われるカードデバイスは特許文献１のようにカードとコネクタピンの接触による電気的な変化を検出することで挿入の検出を行っている。以下、図面を参照しながら、上述した従来のカードリーダの一例について説明を行う。図１３のブロック構成図においてカード装着部３１にカード３３が挿入されるとカード認識部３２がカード３３を検出し信号線Ａを通じて判断制御部２０へと電気信号が送られる。この信号に応じて判断制御部２０は視聴者へ警告信号を信号線Ｃを通じて表示制御部１０に表示する。カード３３の検出は図１４に示すようにカード３３とカード装着部３１内のピン３４との接触による電気的な変化をカード検出部３２が検出することによって行う。
【特許文献１】特開平４−２９４４７７号公報
【発明の開示】
【発明が解決しようとする課題】
【０００３】
しかしながら上記のような構成では、次のような問題点を有している。従来の構成ではカードの検出はカードとピンが正しく接触することを前提としているため、機器の移動などによってカード３３が意図せずピン３４から抜けてしまった場合や、挿入時に挿入不良が起きた場合などは、視聴者が意図的にカードを使用しない、またはカードを取り除いた状態と区別ができなかった。
【０００４】
しかし、ＰＣカードなどのカードデバイスは必要に応じてカードを差し替えて使用したり、カードを挿入せずに使用したりするため、カードが挿入されていない旨を示す表示を常時行うのは使用上ふさわしくない。そのため、カードの挿入不良や脱落に対して視聴者に適切に状態を提示し警告することができなかった。
【課題を解決するための手段】
【０００５】
上記問題点を解決するために本発明のカードリーダは、カードと通信を行いカードが電気的に正しく挿入されたことを検出するカード認識手段と、カードがカード装着部内に存在するかどうかを検出するカード検出手段と、上記カードの認識および検出状態に応じて、前記カード認識手段とカード検出手段からの信号において、カード挿入状態を判断する判断制御手段と前記判断手段での結果をもとに視聴者へ表示を行う表示制御部とを備えたものである。
【発明の効果】
【０００６】
以上のように本発明は、カードの異常挿入や挿入不良を検出し、カードの挿入状態に応じて適切な処理を行うことが可能になる。
【発明を実施するための最良の形態】
【０００７】
（実施の形態１）
図１は、本発明の実施の形態１におけるカードリーダのブロック構成図である。図１において、図１３と同じ構成については同じ符号を用い、説明を省略する。カード検出部３５はカード装着部３１内にセキュリティ情報や個人データなどのデータを保持可能なカードが存在するかを検出し、信号線Ｂを通じて判断制御部２０に電気信号にて通知する。判断制御部２０はカード認識部３２からの信号Ａとカード検出部３５からの信号Ｂの二つの信号の組み合わせにより図２のようにカードの挿入状態をカードが正常挿入されているか異常挿入されているか、またはカードが挿入されていないかを判断する。
以上のように構成されたカードリーダについて、以下図３、図４および図５を用いてその動作を説明する。
【０００８】
まず図３は図１４に示すカード装着部３１にカード検出部３５を加えたものである。カード検出部３５は例えば機械的なスイッチになっており、図３のようにカード装着部３１にカード３３が挿入されていなければカード検出部３５のスイッチはＯＦＦとなり、判断制御部２０はカードなしの状態と判断する。次に図４に示すようにカード装着部３１にカード３３が挿入されると、カード検出部３５のスイッチがＯＮとなる。またカード認識部３２はピン３４とカード３３の接触により電気的にカード３３を認識し、この二つの信号により判断制御部２０はカード正常挿入と判断する。次に図５のように機器の移動などによって意図せずカード３３がピン３４から抜けてしまった場合を考える。このときカード認識部はピン３４とカード３３が正しく接触していないためカードを認識しない。しかし、カード装着部３１内にカード３３が存在するためカード検出部３５のスイッチはＯＮとなりカード３３を検出する。このようにカード認識部３２が認識せず、カード検出部３５が検出する状態の信号に対し判断制御部２０はカード３３の異常挿入や挿入不良状態と判断する。
【０００９】
以上のような構成において、このカードリーダの具体的な処理について図６を参照して説明する。まず、最初に、カード検出部及びカード認識部によりカードが正常に格納されたことを検出する（ステップ１００）。次に、ステップ１００においてカードが正常に格納されたことを検出してから所定時間が経過しているか否かを検出する（ステップ１０２）。なお、このステップ１０２は必須ではなく、所定時間間隔ではなく、ランダムな間隔で行うことも可能である。
【００１０】
次に、上述したカード認識部において、カードからデータを取得可能であるか否かを認識する（ステップ１０４）。このカード認識部においてカードからデータを取得可能である場合には、現在カードリーダは正常に動作しているものとして、正常挿入と判断し、カードの挿入状況の確認を終了する（ステップ１０６）。
【００１１】
一方、ステップ１０４において、カード認識部においてカードからデータを取得できない場合には、ステップ１０８において、カード検出部において、カードがカードリーダに挿入されているか否かを検出する（ステップ１０８）。このステップ１０８において、カードリーダにカードが挿入されていないことが検出された場合には、カード認識部及びカード検出部のいずれにおいてもカードを認識することができないことから、カードがカードリーダから取り出されたものと判断する（ステップ１１０）。そして、視聴者にカードがカードリーダから取り出されていることを上述した表示制御部により表示する（ステップ１１４）。
【００１２】
一方、ステップ１０８において、カード検出部においてカードが挿入されていることが検出されている場合には、カード認識部においてはカードからデータは取得できないものの、カード検出部においてはカードが挿入されていることから、カードリーダ自体の移動等により、カードリーダ内においてカードが適切に配置されていないと判別して、異常挿入と判別する（ステップ１１２）。そして、視聴者に、カードはカードリーダに挿入されているものの適切にカードからのデータを認識することができないことを知らせるために、上述した表示制御部において表示する（ステップ１１４）。
【００１３】
ここで、図２及び図７を用いて、カードの挿入状況に応じた視聴者への警告表示の一例について説明する。上述のように本発明によれば図２に示すようなカード３３挿入状態を判別することができる。この情報を用いて表示制御部１０へ警告表示する一例を図７に示す。まず、上述の手順に従って脱落と判断した場合、判断制御部２０からの信号Ｃから表示制御部１０はカード３３が脱落であることを常時表示するよう制御を行う。また、カード３３が正常挿入状態からカードなし状態へ状態が変化した場合は、判断制御部２０からカードが取り除かれたということを示す信号が信号線Ｃにて表示制御部１０に送られ、前記信号に従い、表示制御部１０は一定時間カード３３が取り外された旨を示す警告を表示するよう制御する。逆にカード３３がカードなし状態から正常挿入状態に状態が変化した場合には判断制御部２０はカードが挿入されたと判断し、判断結果を示す信号Ｃより表示制御部１０はカード３３が挿入された旨を示す警告を表示するよう制御する。
【００１４】
以上のように本実施例によれば、カードと通信を行いカードが電気的に正しく挿入されたことを検出するカード認識手段と、カードがカード装着部内に存在するかどうかを検出するカード検出手段と、上記カードの認識および検出状態に応じて、前記カード認識手段とカード検出手段からの信号において、カード挿入状態を判断する判断制御手段と前記判断手段での結果をもとに視聴者へ表示を行う表示制御部とを具備することにより、カードの異常挿入や挿入不良を検出し、カードの挿入状態に応じて視聴者に警告を表示することができる。これにより、視聴者は、カードの挿入状態を適切に判断することが可能になる。
（実施の形態２）
次に、カードが異常挿入された場合の別の処理について、図８及び図９を参照して説明する。上述したカードの挿入状態に応じて視聴者に警告を表示する場合には、視聴者は適切にカードの挿入状態を認知することが可能になるものの、カードの挿入状態に応じて、特に、カードが異常挿入されていることが表示された場合には、視聴者自身がカードリーダに再度適切にカードを挿入することが必要になる。これに対して、この図８においては、上述した図１に加えてカードリーダに格納したカードを、カード認識部に格納する格納手段を備えている。この格納手段は、ローラ及びモータ等を使用することにより、実現することが可能である。また、異常挿入の場合には、上述したようにカードリーダの移動により、カードが適切な位置に配設されていないことも考えられるので、カードリーダが補正手段を備える構成としてもよい。
【００１５】
このような構成において、このカードリーダの動作について図９を参照して説明する。なお、ステップ１００からステップ１１２までについては、上述した処理と同様であるため説明を省略する。図９において、ステップ１１２において異常挿入と判断された場合には、上述した格納手段及び補正手段により、カードリーダ内に挿入されたカードをカード認識部と接触するように補正する（ステップ１２０）。次に、再度ステップ１０４においてカード認識部においてカードからのデータを認識可能か否かが判別される（ステップ１０４）。ここで、カード認識部においてカードからのデータを認識可能な場合には、正常にカードが挿入されたものと判断される（ステップ１０６）。これにより、カードがカードリーダ内に適切に配設されていない場合であっても、視聴者自身がカードを再度適切に配設する必要がなく、カードリーダはカードからのデータを読み取ることが可能になる。
【００１６】
一方、カード認識部においてカードからのデータを認識できない場合には、再度、カード検出部においてカードのカードリーダに挿入されているか否かを判別する。カード検出部において、再度カードがカードリーダ内に挿入されていると判別された場合には、改めて、ステップ１２０の処理を行う。なお、ステップ１２０の処理が複数回行われた場合には、上述した格納手段及び補正手段では補正することができない理由により誤った処理が行われているため、その旨を通知する。
【００１７】
一方、ステップ１０８の処理において、カード検出部の誤認識により、１回目の処理においては、カードリーダ内にカードが挿入されているものと判断したものの、２回目の処理においては、カードリーダ内にカードが挿入されていないものと判断された場合には、視聴者に対して、表示制御部において、カードがカードリーダ内に挿入されていないことを警告する。これにより、カード検出部に誤認識が生じた場合であっても、２回目の処理において適切な警告を行うことが可能になる。
【００１８】
以上のように、上述した構成に加えてカード認識部及びカード検出部の処理により、異常挿入であると判別された場合であっても、視聴者自身がカードを再度適切に配設する必要がなく、カードリーダはカードからのデータを読み取ることが可能になる。
（実施の形態３）
さらに、カードが異常挿入された場合の別の処理について、図１０及び図１１を参照して説明する。上述した構成においては、カード認識部及びカード検出部を実現するためには、ローラ及びモータを設けることが必要になる。これに対して図１０においては、メモリを設ける構成としている。このメモリには、一度カード認識部において取得したカードからのデータを、カード認識部及びカード検出部においてカードがカードリーダから取り出されたことが検出されるまでメモリに確保する。
【００１９】
このような構成からなるカードリーダの動作について図１１を参照して説明する。なお、ステップ１００からステップ１１２までの構成は上述した処理と同じであるため、説明を省略する。ステップ１００においてカードが認識された場合には、ステップ１３０において上述したメモリにカードのデータを格納する。さらに、ステップ１０８において、カード認識部及びカード検出部において、異常挿入であると判断された場合には、カードリーダに設けられたメモリにアクセスすることにより、予めカードリーダに挿入されたカードから取得したデータに基づいてデータの処理が行われる。この場合には、一度カードは適切に挿入されたことがカード認識部及びカード検出部において認識されており、その際にカードのデータの内容が取得されており、一方、カード検出部において、カードがカードリーダから取り出されていないことが検出されているため、カードは変更されていないものと推定されるため、予めメモリに格納されたデータにより処理が行われる。このような処理により、異常挿入と判断された場合であっても、視聴者自身が改めてカードをカードリーダに適切に挿入する必要がなく、また、格納手段及び補正手段のような特別な構成を設ける必要がなく、カードからのデータの取得が可能になる。
【００２０】
なお、カード検出手段は機械的なスイッチとしたが、電気的なスイッチであってもよいし、光学的なセンサスイッチなどであってもよい。
【００２１】
なお、図１２に示すように、表示制御手段１０から信号を表示するためにＣＲＴまたはＬＣＤまたはＰＤＰなどのディスプレイ装置４０を備える構成としてもよい。このような構成において、視聴者へのカード挿入状態の表示をディスプレイ装置４０に行うことで視聴者がより直感的に挿入状態を認識することができ、有用である。
【産業上の利用可能性】
【００２２】
本発明のカードリーダはカードの異常挿入や挿入不良を検出し、カードの挿入状態に応じて視聴者に警告を表示することができ、カードの挿入状態を判別するためのカードリーダとして有用である。
【図面の簡単な説明】
【００２３】
【図１】本発明の実施の形態１におけるカードリーダのブロック構成図
【図２】本発明の実施の形態１におけるカード挿入状態表の図
【図３】本発明の実施の形態１におけるカードリーダの動作説明図
【図４】本発明の実施の形態１におけるカードリーダの動作説明図
【図５】本発明の実施の形態１におけるカードリーダの動作説明図
【図６】本発明の実施の形態１におけるカードリーダの処理方法を示すフローチャート
【図７】本発明の実施の形態１における表示メッセージ例を示す図
【図８】本発明の実施の形態２におけるカードリーダのブロック構成図
【図９】本発明の実施の形態２におけるカードリーダの処理方法を示すフローチャート
【図１０】本発明の実施の形態３におけるカードリーダのブロック構成図
【図１１】本発明の実施の形態３におけるカードリーダの処理方法を示すフローチャート
【図１２】本発明の実施の形態３におけるカードリーダのブロック構成図
【図１３】従来のカードリーダのブロック構成図
【図１４】従来のカードリーダの動作説明図
【符号の説明】
【００２４】
１０    表示制御部
２０    判断制御部
３１    カード装着部
３２    カード認識部
３３    カード
３４    ピン
３５    カード検出部
４０    ディスプレイ装置
５０    格納部
６０    メモリ
【図１】
2006221298.tif 000003
【図２】
2006221298.tif 000004
【図３】
2006221298.tif 000005
【図４】
2006221298.tif 000006
【図５】
2006221298.tif 000007
【図６】
2006221298.tif 000008
【図７】
2006221298.tif 000009
【図８】
2006221298.tif 000010
【図９】
2006221298.tif 000011
【図１０】
2006221298.tif 000012
【図１１】
2006221298.tif 000013
【図１２】
2006221298.tif 000014
【図１３】
2006221298.tif 000015
【図１４】
2006221298.tif 000016